(57)【特許請求の範囲】
【請求項１】
目隠し材を、両長手側面に長手方向に沿い開口した開口部を有し、該開口部に係止部を形成し、該係止部に固定部材を係止させて柱材に固定する構成としてあり、長手側面の一方を柱材の表側に固定した目隠し材と、長手側面の他方を柱材の裏側に固定した目隠し材とを有してなる目隠し材の配設構造。
【請求項２】
目隠し材を、側断面において、略点対称の形状とした請求項１に記載の目隠し材の配設構造。
【請求項３】
柱材を、少なくとも一面を着脱可能とした断面略矩形状とし、四隅部に内側に凹設した溝部を形成してあるとともに、該溝部上に各面の両長手縁部を延設した張り出し部を形成してある請求項１又は２に記載の目隠し材の配設構造。
【発明の詳細な説明】
【技術分野】
【０００１】
本発明は、建物外壁や屋上等に設置する目隠し材の配設構造に関する。
【背景技術】
【０００２】
目隠し材は、目隠しや日除けなどのために窓や外壁などの外面に配設するものであり、従来の目隠し材の配設構造としては、例えば、建物外壁の外面側に複数のアングル材（柱材）を縦方向に並行して配設し、アングル材の表側に複数の目隠し材を横方向に並行に架け渡して固定したものがある（下記特許文献１，２参照）。これらは、柱材の表側に目隠し材を配設し、裏側から固定ねじで固定する構造としてあるため、建物内から見た場合、ボルトなどの固定部材が見えてしまい、見栄えが悪く、デザイン的な考慮がなされているものではなかった。
そこで、目隠し材の側端部を柱材の側面に固定し、ボルトなどの固定部材を見えにくくしたものが開発されている（下記特許文献３参照）。
【０００３】
【特許文献１】特開平７−７６９５８号公報
【特許文献２】特開平７−７６９５９号公報
【特許文献３】特開２００３−３１４０１７号公報
【発明の開示】
【発明が解決しようとする課題】
【０００４】
上記特許文献３に記載の目隠し材の配設構造では、建物外及び建物内からはボルトなどの締結部材が見えにくくなり、この点に関する見栄えは優れたものとなるが、目隠し材の側端面を柱材の側面に固定してあるため、柱材の表面が露出し、目隠し材のラインを区切ってしまう。また、建物外から全体を見た場合、複数の目隠し材を並行に架け渡した平面状の配設構造としてあるため、鉄柵のようで全体の外観は優れたものではなかった。
【０００５】
本発明は、上記課題に鑑み、全体の外観にも優れた目隠し材の配設構造を提供せんとするものである。
【課題を解決するための手段】
【０００６】
本発明の目隠し材の配設構造は、目隠し材を、両長手側面に長手方向に沿い開口した開口部を有し、該開口部に係止部を形成し、該係止部に固定部材を係止させて柱材に固定する構成としてあり、長手側面の一方を柱材の表側に固定した目隠し材と、長手側面の他方を柱材の裏側に固定した目隠し材とを有してなることを特徴としたものである。
【０００７】
柱材の表側と裏側とに目隠し材を配設することにより、建物外から全体を見渡すと凹んだ部分や突出した部分ができ、陰影により幾何学的な模様など色々な表情を演出することができる。また、固定部材を、目隠し材の開口部内の係止部に係止させて柱材に固定する構造としてあるため、建物外及び建物内からは固定部材が見えにくくなり、見栄えもよくなる。
【０００８】
前記目隠し材は、直線状のものと、柱材の表側又は裏側向きに折曲した折曲部を有するものとを含むのが好ましい。
【０００９】
このような目隠し材を配設することによっても、凹んだ部分と突出した部分が形成でき、上記と同様に色々な表情を演出できる。
【００１０】
目隠し材は、側断面において、略点対称の形状とするのが好ましく、これにより、建物外又は建物内から見た場合、柱材の表側及び裏側に配設した目隠し材は、どちらも同一形状の面となり、全体として統一感のある面とすることができる。
【００１１】
柱材は、少なくとも一面を着脱可能とした断面略矩形状とし、四隅部に内側に凹設した溝部を形成してあるとともに、該溝部上に各面の両長手縁部を延設した張り出し部を形成するのが好ましく、これにより、ボルトなどの固定部材を隠すことができ、また、柱材の接合部を見えなくすることができるので、上記目隠し材と組み合わせることにより、より外観的に優れたものとなる。
【発明を実施するための最良の形態】
【００１２】
以下、本発明の一実施形態を、図面を用いて説明する。
なお、本実施形態では、目隠し材を、外壁の外面に配設してあるが、これに限定するものではなく、屋上の外周や窓部の外側など他の場所にも配設することは可能である。
【００１３】
本発明の一実施形態の目隠し材の配設構造は、図１に示すように、外壁３の外面３１の適宜箇所に配置したブラケット４に柱材２を縦方向に取り付け、複数の目隠し材１を、柱材２の表側及び裏側に固定して横方向に並行するように架け渡してある。
【００１４】
目隠し材１は、図１又は２に示すように、断面扁形Ｘ状の長尺形状としてあり、断面において略左右対称の形状としてある。両長手側面１１には、長手方向に沿う開口部１２が形成してあり、開口部１２の両長手縁部１３を開口内に折り返し折曲し、係止部１４を対向するように形成してある。
目隠し材１は、係止片１５を開口部１３内側から係止部１４に係止してボルトなどの固定部材５により柱材２に固定することができる。係止片１５は、略矩形板材の両長手縁部を対面するように略垂直折曲して形成してあり、底面１５ａの中央に固定部材５を挿通する孔１５ｂを穿設し、また、側面部１５ｃ間には固定部材５の頭部が納まり、固定部材５の頭部が回転しないように形成してある。
【００１５】
柱材２は、図３又は４に示すように、断面略矩形長尺形状としてあり、表面２ａ，裏面２ｂ，一方の側面２ｃを含む基部２１と他方の側面２ｄを含む閉塞面部２２とを着脱可能に形成してある。また、柱材２の四隅部を内側に凹設して底面が湾曲した溝部２３を形成してあり、溝部２３上に各面の両長手縁部を適宜幅で延設した張り出し部２４を形成してある。
柱材２の表面２ａ及び裏面２ｂの適宜箇所には、孔２１ａが穿設してあり、目隠し材１１を固定する固定部材５を挿通できるようにしてある。一方の側面２ｃの適宜箇所には、孔２１ｂが穿設してあり、ボルトなどを挿通してブラケット４に固定できるようにしてある。
閉塞面部２２の裏面の一方の長手縁部側には、長手縁部に沿い突設し、先端部を内方に折曲した爪部２５が形成してあり、基部２１に形成した係合部２６に係止することができるようにしてあり、他方の長手縁部側には適宜箇所に孔２７が穿設してある。爪部２５を係合部２６に係止させ、孔２２ａにねじ等を挿通して締結することにより、閉塞面部２２を基部２１に固定することができる。
【００１６】
ブラケット４は、図４に示すように、外壁３の外面３１に取り付ける略矩形の取付面４１から略垂直に横方向の板材４２ａと縦方向の板材４２ｂとからなる断面略十字状の支持部４２を突設した形状としてある。板材４２ａは、先端部の半分側を切り欠き、板材４２ｂの先端部の上下二箇所に穿設した孔４３にボルトなどを挿通して柱材２を固定できるようにしてある。板材４２ｂの中間付近は、両側から略矩形状に切り欠いてあり、柱材２の裏側に取り付ける目隠し材１に当接しないようにしてある。
【００１７】
以下、目隠し材１を柱材２に固定する方法を説明する。
外壁３の外面３１にブラケット４の取付面４１を接面させ、適宜間隔でボルトなどにより固定する。図４に示すように、ブラケット４の板材４２ｂの孔４３と柱材２の基部２１の孔２１ｂにボルトなどを挿通して締結し、基部２１を縦方向に適宜間隔で並行に取り付ける。
次に、目隠し材１を柱材２の表側に固定する場合は、係止片１５の孔１５ａに固定部材５としてのボルトを挿通し、この係止片１５を、一方の長手側面１１の開口部１２内に納め、ボルトの軸部が開口部１２から突出するように係止部１４に係止させる。この軸部を基部２１の表面２ａの孔２１ａに挿通し、基部２１の内側からナットにより締結して、目隠し材１の長手方向一端側を基部２１に固定することができる。また、同様に長手方向他端側も隣接する基部２１に固定して柱材２の表側に目隠し材１を架け渡すことができる。
目隠し材１を柱材２の裏側に固定する場合は、他方の長手側面１１に、上記と同様にして、係止片１５を係止部１４に係止させ、ボルトの軸部を裏面２ｂの孔２１ｂに挿通して基部２１の内側からナットにより締結して、目隠し材１の長手方向一端側を基部２１に固定することができる。また、同様に長手方向他端側も隣接する基部２１に固定して柱材２の裏側に目隠し材１を架け渡すことができる。
目隠し材１を固定した後に、閉塞面部２２の爪部２５を基部２１の係合部２６に係止させ、孔２２ａにねじ等を挿通して締結し、基部２１を閉塞する。
【００１８】
本実施形態では、上下方向及び左右方向に適宜数の目隠し材１を交互に柱材２の表側及び裏側に固定することにより、図１又は５に示すように、市松模様の目隠し材の配設構造とすることができる。
このように目隠し材１を、柱材２の表側又は裏側に固定することにより、建物外から全体を見渡すと凹んだ部分や突出した部分ができ、陰影により様々な表情を演出することができ、外観的に優れた目隠し材の配設構造となる。
他例としては、図６（Ａ）に示すように、一列のみを柱材２の裏側に固定することにより、一列のみが陰影の相違する目隠し材の配設構造とすることができる。この他にも、目隠し材１を柱材２の表側と裏側とに適宜配設することにより、例えば、図６（Ｂ）〜（Ｄ）に示すような様々な表情を演出することができる。
【００１９】
目隠し材１は、略左右対称の形状としてあるので、柱材２の表側に配設した目隠し材１及び裏側に配設した目隠し材１は、建物外から見ても、建物内から見ても同一形状の長手側面が見え、全体として統一のある面とすることができる。
また、ボルトなどの固定部材５の頭部や係止片１５は開口部１２内にあるので、外側からは見えにくいものとなり、見栄え的に優れたものとなる。
【００２０】
本実施形態では、目隠し材１を上記形態としてあるが、これに限定するものではなく、図７（Ａ）に示すように、断面略矩形状の目隠し材１ａ、図７（Ｂ）に示すように、左右の開口部の位置を上下方向にずらした段違いの形状の目隠し材１ｂとすることもでき、また、図７（Ｃ）に示すように、左右が相似した形状の目隠し材１ｃとすることもできる。外観を考慮すると、断面において点対称の形状の目隠し材とするのが好ましい。
【００２１】
本実施形態では、係止片１５を係止部１４に係止して目隠し材１を柱材２に固定してあるが、図８に示すように、係止片１５を用いず、固定部材５の頭部を直接、係止部１４ａに係止させる形状の目隠し材１ｄとしてもよい。
【００２２】
本実施形態では、目隠し材１を直線状のものとしてあるが、柱材２の表側又は裏側向きに折曲した折曲部を有する構成としてもよい。このような目隠し材１を用いても、建物外から全体を見渡すと凹んだ部分や突出した部分ができ、様々な表情を演出することができ、外観的に優れた目隠し材の配設構造となる。
【００２３】
柱材２は、基部２１と閉塞面部２２とを着脱可能としてあるため、内側にあるナットなどを隠すことができる。また、四隅部に内側に凹設した溝部２３を形成してあるとともに、溝部２３上に各面の両長手縁部を延設した張り出し部２４を形成してあるので、基部２１と閉塞面部２２との接合部が見えず、柱材２が外側から見た場合、着脱可能な構成としてあることが判らず、見栄え的に優れたものとすることができる。
本実施形態では、柱材２を上記形態としてあるが、これに限定するものではなく、断面略円形状や断面略八角形状などとしてもよい。本実施形態では、一面が着脱可能な構成としてあるが、これに限定するものではなく、閉塞面部を設けず断面略コの字状の柱材としてもよい。また、着脱可能な構成とする場合は、少なくとも一面が着脱可能な構成としてあればよい。
また、本実施形態では、柱材の表側又は裏側に目隠し材を固定してあるが、さらに柱材の側面に目隠し材を固定してもよい。
【００２４】
上記実施形態の構成態様は、本発明を限定するものとして挙げたものではなく、技術目的を共通にするかぎり変更は可能であり、本発明はそのような変更を含むものである。
【図面の簡単な説明】
【００２５】
【図１】本発明の目隠し材の配設構造を示した部分斜視図である。
【図２】図１の目隠し材の配設構造で用いる目隠し材を示し、（Ａ）は斜視図、（Ｂ）は側断面図である。
【図３】図１の目隠し材の配設構造で用いる柱材の上面図である。
【図４】図１の目隠し材の配設構造で用いる柱材を、ブラケットに取り付ける状態を示した概略斜視図である。
【図５】図１の目隠し材の配設構造の全体を示した正面図である。
【図６】（Ａ）〜（Ｄ）は、目隠し材の配設構造の他例を示した正面図である。
【図７】（Ａ）〜（Ｃ）は、目隠し材の変形例を示す側断面図である。
【図８】目隠し材の一変形例を柱材に固定した状態を示した側断面図である。
【符号の説明】
【００２６】
１目隠し材  １１長手側面  １２開口部  １３長手縁部  １４係止部
１５係止片  １５ａ底面  １５ｂ孔  １５ｃ側面部  ２柱材  ２ａ表面
２ｂ裏面  ２ｃ，２ｄ側面  ２１基部  ２１ａ孔  ２１ｂ孔  ２２閉塞面部
２２ａ孔  ２３溝部  ２４張り出し部  ２５爪部  ２６係合部  ３外壁
３１外面  ４ブラケット  ４１取付面  ４２支持部  ４２ａ，４２ｂ板材
４３孔  ５固定部材
【図１】
0004579860.tif 000002
【図２】
0004579860.tif 000003
【図３】
0004579860.tif 000004
【図４】
0004579860.tif 000005
【図５】
0004579860.tif 000006
【図６】
0004579860.tif 000007
【図７】
0004579860.tif 000008
【図８】
0004579860.tif 000009